(57)【要約】【課題】構造が簡単で、しかも衣類の取付け取り外しが容易な開閉機構付きハンガーを提供する。【解決手段】上部にフック部１９を有する主操作部材１１と、主操作部材１１の両側にその上端部が回動可能に取付けられた左右対となる上袖保持部材１２、１３と、それぞれの上袖保持部材１２、１３の下端部にその外側端部が回動可能に連結された左右対となる下袖保持部材１４、１５と、下袖保持部材１４、１５の内側端部にその下端部が連結された吊り下げ紐１７と、主操作部材１１に設けられ挿通する吊り下げ紐１７の中間位置を固定する紐止め部材２１とを有し、吊り下げ紐１７を引き上げ、吊り下げ紐１７の所定位置を紐止め部材２１に固定することによって、下袖保持部材１４、１５を実質的に水平に保つと共に、上袖保持部材１２、１３を左右に下り傾斜に保って全体をハンガー状とする。【選択図】      図１
2004248829.tif 000002
【特許請求の範囲】
【請求項１】
上部にフック部を有する主操作部材と、該主操作部材の両側にその上端部が回動可能に取付けられた左右対となる上袖保持部材と、該それぞれの上袖保持部材の下端部にその外側端部が回動可能に連結された左右対となる下袖保持部材と、該左右対となる下袖保持部材の内側端部にその下端部が連結された吊り下げ紐と、前記主操作部材に設けられ挿通する前記吊り下げ紐の中間位置を固定する紐止め部材とを有し、
前記吊り下げ紐を所定位置まで引き上げ、該吊り下げ紐の所定位置を前記紐止め部材に固定することによって、前記左右対となる下袖保持部材を実質的に水平に保つと共に、前記上袖保持部材を左右に下り傾斜に保って全体をハンガー状とすることを特徴とする開閉機構付きハンガー。
【請求項２】
請求項１記載の開閉機構付きハンガーにおいて、前記吊り下げ紐は、前記左右対となる下袖保持部材の内側端部に、昇降部材を介して連結されていることを特徴とする開閉機構付きハンガー。
【請求項３】
請求項２記載の開閉機構付きハンガーにおいて、前記主操作部材に前記上袖保持部材の上端部が回動可能に取付けられる左右のヒンジ部の間隔と、前記左右対となる下袖保持部材の内側端部が回動可能に取付けられる前記昇降部材の左右のヒンジ部の間隔とは、実質的に同一となって、前記吊り下げ紐を緩めた状態では、前記主操作部材の両側に、前記左右対となる上袖保持部材と前記左右対となる下袖保持部材がぶら下がり、全体として縦長四角形状となっていることを特徴とする開閉機構付きハンガー。
【請求項４】
請求項２及び３のいずれか１項に記載の開閉機構付きハンガーにおいて、前記昇降部材は左右対称となって中央上部に垂直片部を備え、該垂直片部の上端を前記主操作部材に当接させた状態で、前記左右対となる下袖保持部材が実質的に水平状態を維持することを特徴とする開閉機構付きハンガー。
【発明の詳細な説明】
【０００１】
【発明の属する技術分野】
本発明は、例えば物干し竿にハンガーをセットしたまま洗濯物の取付けや取り外しが簡単にでき、洗濯物の首部分が伸びないハンガーに関する。
【０００２】
【従来の技術】
Ｔシャツ、トレーナー、セーター等をハンガーにセットする場合、これら衣類の首穴部分からハンガーを入れて、ハンガーに衣類の両袖を挿通した後、物干し竿に掛けて、乾けばこれらの衣類をハンガーから逆の手順で外していた。
また、例えば、特許文献１に記載のように、縦長の本体の両側下部に左右対となるアームの上端を開閉可能に固定し、左右のアームをリンク機構によって、開閉するものも提案されている。
【０００３】
【特許文献１】
特開２００１−２８６３８２号公報（図１、図２）
【０００４】
【発明が解決しようとする課題】
しかしながら、通常の固定式のハンガーの場合には、シャツ等の首部分が小さい場合には、首部分を大きく引き延ばしてハンガーに取付けまたハンガーから取り外しを行う必要があり、手間であるのと同時に、シャツ等の首部分が伸びてしまうという問題があった。
また、特許文献１に記載の開閉自在ハンガーにおいては、その構造が複雑であると共に、風等で不用意にリンク機構をロックする手段が外れると、アームが閉じて、取付けたシャツ等が落ちてしまうという問題があった。
本発明はかかる事情に鑑みてなされたもので、構造が簡単で、しかも衣類の取付け取り外しが容易な開閉機構付きハンガーを提供することを目的とする。
【０００５】
【課題を解決するための手段】
前記目的に沿う第１の発明に係る開閉機構付きハンガーは、上部にフック部を有する主操作部材と、該主操作部材の両側にその上端部が回動可能に取付けられた左右対となる上袖保持部材と、該それぞれの上袖保持部材の下端部にその外側端部が回動可能に連結された左右対となる下袖保持部材と、該左右対となる下袖保持部材の内側端部にその下端部が連結された吊り下げ紐と、前記主操作部材に設けられ挿通する前記吊り下げ紐の中間位置を固定する紐止め部材とを有し、前記吊り下げ紐を所定位置まで引き上げ、該吊り下げ紐の所定位置を前記紐止め部材に固定することによって、前記左右対となる下袖保持部材を実質的に水平に保つと共に、前記上袖保持部材を左右に下り傾斜に保って全体をハンガー状としている。
【０００６】
第１の発明に係る開閉機構付きハンガーによって、Ｔシャツ等の衣類をこの開閉機構付きハンガーに装着する場合には、開閉機構付きハンガーを閉じた状態で衣類の中に入れ、主操作部材を衣類の首穴から出した状態で、吊り下げ紐を引き上げ、左右の下袖保持部材の中央を引き上げて水平状態にすると、左右の上袖保持部材が広がって衣類の袖部を支えるハンガーとなる。また、この開閉機構付きハンガーから衣類を外す場合には、吊り下げ紐を下げると、上袖保持部材及び下袖保持部材が元の状態になって、衣類の首穴部を広げることなく衣類が外れる。
【０００７】
また、第２の発明に係る開閉機構付きハンガーは、第１の発明に係る開閉機構付きハンガーにおいて、前記吊り下げ紐は、前記左右対となる下袖保持部材の内側端部に、昇降部材を介して連結されている。これによって、下袖保持部材の開閉動作が容易となる他、この昇降部材が重りの役目をして、吊り下げ紐を下げた場合には、簡単に閉じる状態になる。
【０００８】
第３の発明に係る開閉機構付きハンガーは、第２の発明に係る開閉機構付きハンガーにおいて、前記主操作部材に前記上袖保持部材の上端部が回動可能に取付けられる左右のヒンジ部の間隔と、前記左右対となる下袖保持部材の内側端部が回動可能に取付けられる前記昇降部材の左右のヒンジ部の間隔とは、実質的に同一となって、前記吊り下げ紐を緩めた状態では、前記主操作部材の両側に、前記左右対となる上袖保持部材と前記左右対となる下袖保持部材がぶら下がり、全体として縦長四角形状となっている。これによって、閉じた状態の開閉機構付きハンガーの見栄えがよくなる。
【０００９】
第４の発明に係る開閉機構付きハンガーは、第２及び第３の発明に係る開閉機構付きハンガーにおいて、前記昇降部材は左右対称となって中央上部に垂直片部を備え、該垂直片部の上端を前記主操作部材に当接させた状態で、前記左右対となる下袖保持部材が実質的に水平状態を維持する。これによって、誰でも簡単に紐止め部材を操作して開閉機構付きハンガーを正規状態に開くことができる。
【００１０】
【発明の実施の形態】
続いて、本発明を具体化した一実施の形態について説明し、本発明の理解に供する。
ここに、図１は本発明の一実施の形態に係る開閉機構付きハンガーの閉じた状態の正面図、図２は同開閉機構付きハンガーを開いた状態の正面図、図３は紐止め部材の詳細断面図である。
【００１１】
図１〜図３に示すように、本発明の一実施の形態に係る開閉機構付きハンガー１０の素材は、プラスチック、木、金属又はこれらの組み合わせからなって、主操作部材１１と、その両側に設けられる左右対となる上袖保持部材１２、１３及び下袖保持部材１４、１５と、下袖保持部材１４、１５の下部を連結する昇降部材１６と、昇降部材１６を上下する吊り下げ紐１７とを有している。以下、これらについて詳しく説明する。
【００１２】
全体として板状の主操作部材１１の上側には半円形部１８を備え、半円形部１８の中央上部に鉤状のフック部１９の下端が回転可能に取付けられている。一方、主操作部材１１の両側には、左右対となる上袖保持部材１２、１３の上端部が回動可能に連結されている。この回動可能な連結構造は、連結部（上袖保持部材１２、１３の上端部及び主操作部材１１の両側部分）双方に貫通孔を設けてピンを挿通してもよいし、一方の連結部をピンにし他方の連結部を孔にして、このピンを孔に挿通する構造の連結構造であってもよい（以下の回動可能に連結された部分においても同様）。
【００１３】
前記上袖保持部材１２、１３の下端部には、左右対となる下袖保持部材１４、１５の外側端部（図１では上側端部となる）が回動可能に連結されている。そして、この下袖保持部材１４、１５の内側端部（図１では下側端部）には、昇降部材１６の両側が回動可能に連結されている。
上袖保持部材１２、１３と下袖保持部材１４、１５の連結部分は、他の部分の幅よりその直径が大きい円形拡大部が設けられ、回動可能な連結部分の強度を向上しているが、これらの部材を両端が半円形の細長板形状としてもよい。
【００１４】
昇降部材１６は逆Ｔ字状となって、下側水平部の両端部が、下袖保持部材１４、１５の内側端部に回動自在に連結されている。また、この昇降部材１６の下側水平部の左右のヒンジ部（回動中心部）の間隔が、主操作部材１１の両側のヒンジ部（即ち、上袖保持部材１２、１３の回動中心部分）の間隔と同一となっている。これによって、図１に示すように、吊り下げ紐１７を緩めて上袖保持部材１２、１３及び下袖保持部材１４、１５を主操作部材１１の両側にぶら下げた場合には、主操作部材１１、上袖保持部材１２、１３、下袖保持部材１４、１５及び昇降部材１６の形状が縦長長方形となる。
【００１５】
また、昇降部材１６の中央に設けられた垂直片部２０の長さは、図２に示すように、垂直片部２０の上端が主操作部材１１の下端に当接したときに、下袖保持部材１４、１５が水平になって、しかも、上袖保持部材１２、１３が水平に対して約２０〜３０度の角度を維持するように、上袖保持部材１２、１３及び下袖保持部材１４、１５並びに垂直片部２０の長さが調整されている。
【００１６】
図３に示すように、昇降部材１６の垂直片部２０の頂部には、吊り下げ紐１７の下端が連結されている。この吊り下げ紐１７は比較的強度を有する天然繊維又は合成繊維からなって、主操作部材１１の中央部分に、この吊り下げ紐１７の中間位置を固定する紐止め部材２１が設けられている。
【００１７】
紐止め部材２１は、主操作部材１１に固定される筒体２２と、筒体２２内に遊嵌し、正面側には押さえボタン２３が設けられた挿入部２４と、挿入部２４を外側に押し出すように付勢するスプリング２５とを有している。吊り下げ紐１７は、筒体２２及び挿入部２４を貫通する小孔を挿通し、挿入部２４を筒体２２内に押し込むことによって、吊り下げ紐１７のロックが外れ、手をはなすことでスプリング２５によって挿入部２４が戻り、吊り下げ紐１７のロックが行われるようになっている。
吊り下げ紐１７の先部には、ストッパー２６が設けられ、この開閉機構付きハンガー１０を閉じた場合に、吊り下げ紐１７が紐止め部材２１から完全に外れないようになっている。
【００１８】
なお、筒体を管状とし、挿入部を筒体の両側から突出させて、一方から挿入部を押した場合には、吊り下げ紐１７のロックが行われ、他方から挿入部を押した場合は吊り下げ紐１７のロックの解除が行われるようにしてもよい。
なお、紐止め部材２１はこの実施の形態に限定されず、例えば、吊り下げ紐を主操作部材１１に設けた部材の貫通孔に挿通し、止める場合には吊り下げ紐に結び目を設けてもよいし、更に、場合によっては、主操作部材１１に設けた部材に解けないように巻付けてもよい。
【００１９】
従って、この開閉機構付きハンガー１０を使用する場合には、図１に示すように、上袖保持部材１２、１３及び下袖保持部材１４、１５が主操作部材１１にぶら下がっている閉じた状態において、Ｔシャツ等の洗濯物をその首穴部からフック部１９を覗かせるようにして開閉機構付きハンガー１０にセットする。次に、主操作部材１１又はフック部１９を持って吊り下げ紐１７を引くと、昇降部材１６が上に上がり、更に昇降部材１６の垂直片部２０が主操作部材１１の下端に当接した状態では、図２に示すように、下袖保持部材１４、１５が水平状態となる。この状態で、吊り下げ紐１７を紐止め部材２１で固定すると、上袖保持部材１２、１３が約２０〜３０度の角度で下方に傾くので、Ｔシャツ類の袖を上袖保持部材１２、１３が受けることができ、通常のハンガーとしての役目をする。
【００２０】
一方、一旦装着したＴシャツ等を外す場合には、紐止め部材２１を解くと、昇降部材１６が下がって図１のような閉じた状態となるので、Ｔシャツ類を簡単に外すことができる。
なお、上袖保持部材１２、１３の傾斜角は、図２に示す状態で最少傾斜角度となるが、例えば、上袖保持部材１２、１３の傾斜角度を更に大きくしたい場合には、昇降部材１６の位置を下げた状態で、吊り下げ紐１７を紐止め部材２１に固定する。この場合、下袖保持部材１４、１５は中央下がりになるが、使用上は特に問題とはならない。
【００２１】
本発明は前記実施の形態に限定されるものではなく、本発明の要旨を変更しない範囲での、変形例も本発明の権利範囲となる。例えば、上袖保持部材１２、１３の上側表面に滑り止めを設けた場合や、素材に繰り返し折り曲げ可能な素材（例えば、ポリプロピレン）を使用し、ヒンジ部を連結した部材を単に折り曲げるだけの構成とした場合等にも適用される。
【００２２】
【発明の効果】
請求項１〜４記載の開閉機構付きハンガーは、以上の説明からも明らかなように、左右対となる上袖保持部材を、これに連結される左右対となる下袖保持部材を介して吊り下げ紐によって開閉しているので、その構造が簡単である。
更には、上袖保持部材が開閉するので、取付けた衣類（例えば、洗濯物）の首穴部を無理に広げることなく、セット及びその取り外しができる。
【００２３】
また、請求項２記載の開閉機構付きハンガーによれば、下袖保持部材は昇降部材を介して吊り下げ紐によって昇降しているので、昇降部材が重しとしても作用し、下袖保持部材の動きが円滑となる。
【００２４】
請求項３記載の開閉機構付きハンガーは、主操作部材に上袖保持部材の上端部が回動可能に取付けられる左右のヒンジ部の間隔と、左右対となる下袖保持部材の内側端部が回動可能に取付けられる昇降部材の左右のヒンジ部の間隔とは、実質的に同一となって、吊り下げ紐を緩めた状態では、主操作部材の両側に、左右の上袖保持部材と左右の下袖保持部材がぶら下がり、全体として縦長四角形状となっているので、閉じた場合の開閉機構付きハンガーの見栄えが向上すると共に、箱に収納する場合や搬送にも便宜がある。
【００２５】
そして、請求項４記載の開閉機構付きハンガーは、昇降部材は左右対称となって中央上部に垂直片部を備え、垂直片部の上端を主操作部材に当接させた状態で、左右の下袖保持部材が実質的に水平状態を維持するので、操作が簡単となる。
【図面の簡単な説明】
【図１】本発明の一実施の形態に係る開閉機構付きハンガーの閉じた状態の正面図である。
【図２】同開閉機構付きハンガーを開いた状態の正面図である。
【図３】紐止め部材の詳細断面図である。
【符号の説明】
１０：開閉機構付きハンガー、１１：主操作部材、１２、１３：上袖保持部材、１４、１５：下袖保持部材、１６：昇降部材、１７：吊り下げ紐、１８：半円形部、１９：フック部、２０：垂直片部、２１：紐止め部材、２２：筒体、２３：押さえボタン、２４：挿入部、２５：スプリング、２６：ストッパー
【図１】
2004248829.tif 000003
【図２】
2004248829.tif 000004
【図３】
2004248829.tif 000005